(57)【要約】      （修正有）【課題】製造コストを増大させず、内周側縁辺部の剛性によって受ける患者動物のストレスを軽減する動物用患部保護カラーを提供する。【解決手段】動物用患部保護カラーは、シート部材１１と、シート部材１１を接続する接続手段を有する。シート部材１１を丸めて円錐台状にしたときに内側面となる第１の面にのみ溝状凹部４６〜６５を形成したので、シート部材１１がこれらの溝状凹部を谷型の折り目として折れ曲がるようになり、頭部の重さが相対的に軽い猫や小型犬等であっても、開口部６７が簡単に変形するようになる一方、溝状凹部が放射状に形成されているので、溝状凹部と交差する方向には折れ曲がりにくい。さらに、第１の面側が山型に折れ曲がって、患者動物の頭部に面する側に稜線のような突出部ができず、この突起部に起因する患者動物へのストレスを生じない。【選択図】図４
0003233445.tif 000002
【実用新案登録請求の範囲】
【請求項１】
略扇形状に形成されると共に、第１の面及び第２の面を備えたシート部材と、
前記シート部材の第１の側端部の近傍部分と第２の側端部の近傍部分とを互いに重なり合った状態で接続可能な接続手段を有し、
前記シート部材の前記第１の側端部の前記近傍部分と前記第２の側端部の前記近傍部分とを前記接続手段によって接続したときに、前記シート部材が前記第１の面が内側面となり、前記第２の面が外側面となる略円錐台状の形状を呈すると共に、前記シート部材の中央に動物の頚部に対応した大きさの開口部が形成される動物用患部保護カラーであって、
前記シート部材は、前記第１の面に中心側から放射状に延びる複数の溝状凹部が形成されていることを特徴とする動物用患部保護カラー。
【請求項２】
前記接続手段は、前記シート部材の内周側縁辺部と外周側縁辺部との中間領域に設けられたスナップボタンであり、
前記シート部材は、前記第１の側端部の前記近傍部分と前記第２の側端部の前記近傍部分とを前記接続手段によって接続したときに、前記第１の側端部に近い部位に形成された前記溝状凹部と、前記第２の側端部に近い部位に形成された前記溝状凹部とが互いに重なり合うように形成されていることを特徴とする請求項１に記載の動物用患部保護カラー。
【考案の詳細な説明】
【技術分野】
【０００１】
本考案は、患者動物が怪我や皮膚病等がある患部を舐めることを予防する動物用患部保護カラーに関するものである。
【背景技術】
【０００２】
動物医療においては、イヌやネコなどの患者動物が怪我や、皮膚病、手術による傷口等がある患部を本能的に舐めることを防止するために、動物用患部保護カラーがよく利用されている。動物用患部保護カラーは、アニマルネッカーやエリザベスカラーとも呼ばれており、患者動物の頚部に装着することによって、患者動物の口と患部との間の障壁となり、患者動物が患部を舐めることを確実に阻止できるものである。
【０００３】
図７は、従来技術に係る動物用患部保護カラーを示し、（ａ）は正面図、（ｂ）は使用状態図である。図７において、９０は動物用患部保護カラー、９１は内周側縁辺部、９２は外周側縁辺部、９３は通気口、９４はスナップボタン、９５は患者動物、９６は頭部である。
【０００４】
図７は、登録実用新案第３０５０７５８号公報において開示されている動物用患部保護カラーである。動物用患部保護カラー９０は、透明な樹脂材から形成されている。また、動物用患部保護カラー９０は、図７に示すように、内周側縁辺部９１及び外周側縁辺部９２との間の全ての領域に通気口９３を多数形成している。また、患者動物９５の頭部９６に装着する際には、内周側縁辺部９１が患者動物９５の頸部に接するようにしながら、動物用患部保護カラー９０を円錐台状に丸めてスナップボタン９４を止める。そうすると、内周側縁辺部９１に囲まれた略円形の開口部が形成される。この開口部の直径は、頭部９６の相当直径よりも小さいので、動物用患部保護カラー９０が頭部９６から脱落することはない。
【０００５】
以上の構成によれば、動物用患部保護カラー９０は、通気口９３を多数形成したことによって、通気性が向上する。さらに、透明な樹脂材を利用した上に、通気口９３を多数形成したことによって、患者動物９５の視野を広げることができる。したがって、患者動物９５にとって不快な蒸れを低減でき、さらに視界を広げることもできる。
【０００６】
ところで、動物用患部保護カラーには、さらに患者動物にストレスを感じさせる大きな要因として、動物用患部保護カラーの内周側縁辺部の剛性が存在する。これは、患者動物が猫や小型犬等である場合、頭部の重さが相対的に軽いことから、内周側縁辺部が頭部の重さによって内周側縁辺部に囲まれた開口部が楕円形に変形しにくい。この開口部が変形しにくいと、患者動物が横たわったときなどに、この開口部の一部が頸部に強く押し当てられた状態になり、患者動物の睡眠等を妨げる。
【０００７】
動物用患部保護カラーを従来のものよりも柔軟な素材から形成すれば、開口部が楕円形に変形しやすくなるので、患者動物にストレスを低減することができる。しかし、従来のものよりも柔軟な素材から形成した場合、患者動物が激しく動いたときにケージ等に接触した部位の近傍が折れ曲がることが考えられる。一度折れ曲がると、その部分に折り癖が付いて全体が変形してしまい、患者動物が患部を容易に舐められるようになる可能性がある。そこで、動物用患部保護カラーを従来のものよりも柔軟なシート部材と相対的に固い縁部材とで構成するなど、２種類以上の材料を組み合わせて形成することによって、この課題を解消することは可能である。しかし、動物用患部保護カラーの製造コストが増大するという副次的な課題が新たに生じることになる。
【先行技術文献】
【特許文献】
【０００８】
【特許文献１】登録実用新案第３０５０７５８号公報
【考案の概要】
【考案が解決しようとする課題】
【０００９】
本考案は、上記課題を解決するために、動物用患部保護カラーにおいて、製造コストを増大させずに、動物用患部保護カラーの内周側縁辺部の剛性によって受ける患者動物のストレスを軽減することを目的とする。
【課題を解決するための手段】
【００１０】
請求項１に記載の考案は、略扇形状に形成されると共に、第１の面及び第２の面を備えたシート部材と、前記シート部材の第１の側端部の近傍部分と第２の側端部の近傍部分とを互いに重なり合った状態で接続可能な接続手段を有し、前記シート部材の前記第１の側端部の前記近傍部分と前記第２の側端部の前記近傍部分とを前記接続手段によって接続したときに、前記シート部材が前記第１の面が内側面となり、前記第２の面が外側面となる略円錐台状の形状を呈すると共に、前記シート部材の中央に動物の頚部に対応した大きさの開口部が形成される動物用患部保護カラーであって、前記シート部材は、前記第１の面に中心側から放射状に延びる複数の溝状凹部が形成されていることを特徴とする動物用患部保護カラーである。
【００１１】
請求項２に記載の考案は、請求項１に記載の考案において、前記接続手段は、前記シート部材の内周側縁辺部と外周側縁辺部との中間領域に設けられたスナップボタンであり、前記シート部材は、前記第１の側端部の前記近傍部分と前記第２の側端部の前記近傍部分とを前記接続手段によって接続したときに、前記第１の側端部に近い部位に形成された前記溝状凹部と、前記第２の側端部に近い部位に形成された前記溝状凹部とが互いに重なり合うように形成されていることを特徴とする動物用患部保護カラーである。
【考案の効果】
【００１２】
請求項１に記載の考案によれば、内側面となる第１の面にのみ溝状凹部を形成しているので、シート部材が溝状凹部を折り目として、つまり、第１の面側が谷となるように折れ曲がるようになる。したがって、患者動物が頭部の重さが相対的に軽い猫や小型犬等であっても、製造コストを増大させずに、内周側縁辺部に囲まれた開口部が簡単に変形するようになる。その一方、第１の面の溝状凹部が放射状に形成されているので、溝状凹部と交差する方向には折れ曲がりにくい。さらに、第１の面側が山となるように折れ曲がることがない、つまり、患者動物の頭部に面する側に稜線のような突出部ができることがない。したがって、患者動物の頸部等がこの突出部によって刺激を受け、ストレスを感じることがない。
【００１３】
請求項２に記載の考案によれば、接続手段によって第１の側端部の近傍部分と第２の側端部の近傍部分を接続したときに、第１の側端部に近い部位に形成された溝状凹部と、第２の側端部に近い部位に形成された溝状凹部とが互いに重なり合うので、第１の側端部に近い部位に形成された溝状凹部と、第２の側端部に近い部位に形成された溝状凹部との折り曲がるという機能が損なわれない。すなわち、溝状凹部が形成された部位に対して溝状部位が形成されていない部位が重なり合うことによって、当該部位及びその周辺領域が折れ曲がりにくくなることを防止できる。
ことを防止できる。
【図面の簡単な説明】
【００１４】
【図１】本考案の実施の形態に係る動物用患部保護カラーの正面図である。
【図２】本考案の実施の形態に係る動物用患部保護カラーの背面図である。
【図３】本考案の実施の形態に係る動物用患部保護カラーを示し、（ａ）は平面図、（ｂ）は底面図、（ｃ）はＡ−Ａ線、Ｂ−Ｂ線断面図である。
【図４】本考案の実施の形態に係る動物用患部保護カラーにおいて第１の側端部の近傍部分と第２の側端部の近傍部分を接続した状態を示し、（ａ）は正面図、（ｂ）は底面図である。
【図５】本考案の実施の形態に係る動物用患部保護カラーにおいて変形した状態を示し、（ａ）は正面図、（ｂ）は底面図である。
【図６】本考案の実施の形態に係る動物用患部保護カラーの使用状態図である。
【図７】従来技術に係る患者動物用の動物用患部保護カラーの使用状態図である。
【考案を実施するための形態】
【００１５】
図１は、本考案の実施の形態に係る動物用患部保護カラーの正面図である。図１において、１０は動物用患部保護カラー、１１はシート部材、２０は外周側縁辺部、２１は内周側縁辺部、２３は凸部品（ゲンコ）、２４は凹部品（バネ）、２５、２６、２７、２８、２９、３０、３１、３２、３３、３４、３５、３６、４０、４１、４３、４４及び４５は区画領域、４６、４７、４８、４９、５０、５１、５２、５３、５４、５５、５６、５７、５８、５９、６０、６１、６２、６３、６４及び６５は溝状凹部、６６は間隙である。また、図２は、本考案の実施の形態に係る動物用患部保護カラーの背面図である。図２において用いた符号は、すべて図１と同じものを示す。さらに、図３は、本考案の実施の形態に係る動物用患部保護カラーにおいて開口部を形成した状態を示し、（ａ）は平面図、（ｂ）は正面図である。図３において用いた符号は、すべて図１と同じものを示す。くわえて、図４は、本考案の実施の形態に係る動物用患部保護カラーにおいて第１の側端部の近傍部分と第２の側端部の近傍部分を接続した状態を示し、（ａ）は正面図、（ｂ）は底面図である。図４において、６７は開口部であり、その他の符号は図１と同じものを示す。
【００１６】
本考案の実施の形態に係る動物用患部保護カラー１０のシート部材１１は、厚さ０．５ｍｍ乃至０．８ｍｍのシート状のポリプロピレン材から形成されている。なお、患者動物の視野を確保する観点から、透明なポリプロピレンから形成することが好ましい。また、厚さは、装着する患者動物の大きさ等に応じて０．５ｍｍ乃至０．８ｍｍ以外の厚さにしてもよい。なお、患者動物が落ち着くような色彩などにすることも可能である。くわえて、同様の性状を有するものであれば、他の材料であってもよい。また、図１に示すように、シート部材１１は、点Ｏを中心とする扇形に形成されている。また、動物用患部保護カラー１０の外周側縁辺部２０と内周側縁辺部２１と間の幅、及び、シート状のポリプロピレン材が存在しない間隙６６は、後述するように、動物用患部保護カラー１０を装着する患者動物の種類や、頭部の大きさ等を勘案して決定される。
【００１７】
また、シート部材１１は、図１に示す正面側、つまり、第１の面に、点Ｏを中心として放射状に拡がって、内周側縁辺部２１から外周側縁辺部２０まで延びるように、溝状凹部４６、４７、４８、４９、５０、５１、５２、５３、５４、５５、５６、５７、５８、５９、６０、６１、６２、６３、６４及び６５が形成されている。動物用患部保護カラー１０の正面側は、後述するように、動物用患部保護カラー１０を患者動物の頭部に装着したときに、この頭部に面している側の面、すなわち、図４に示すように、丸めて円錐台状に変形された動物用患部保護カラー１０の内側面となる。これに対して、動物用患部保護カラー１０の背面側、つまり、第２の面には、図２に示すように、溝状凹部４６、４７、４８、４９、５０、５１、５２、５３、５４、５５、５６、５７、５８、５９、６０、６１、６２、６３、６４及び６５に相当するものは形成されていない。なお、外周側縁辺部２０と、内周側縁辺部２１と、区画領域２５の第１の側端部となる部位と、区画領域４５の第２の側端部となる部位とのいずれか、または、これらのすべてに、後述する溝状凹部４６、４７、４８、４９、５０、５１、５２、５３、５４、５５、５６、５７、５８、５９、６０、６１、６２、６３、６４及び６５の機能を損なわないような、薄く柔軟なエッジカバー部材を設けてもよい。
【００１８】
また、図３に示すように、シート部材１１の第１の面に形成されている溝状凹部５５及び５６は、動物用患部保護カラー１０母材となるシート材を浅く凹ませた形状に形成されている。これは、溝状凹部５５及び５６において、動物用患部保護カラー１０の正面側が山となるように、つまり、溝状凹部５５及び５６が稜線となるように逆向きに折り曲げられることを防止するためである。また、溝状凹部５５及び５６にくわえて、溝状凹部４６、４７、４８、４９、５０、５１、５２、５３、５４、５７、５８、５９、６０、６１、６２、６３、６４及び６５も同じ形状及び深さに形成されている。したがって、動物用患部保護カラー１０は、図４に示すように、丸めて円錐台状にすると、溝状凹部４６、４７、４８、４９、５０、５１、５２、５３、５４、５５、５６、５７、５８、５９、６０、６１、６２、６３、６４及び６５に沿って、第１の面が山となり、第２の面が谷となるような折り目ができる。
【００１９】
シート部材１１の区画領域２５、２６、２７、２８、２９、３０、３１、３２、３３、３４、３５、３６、４０、４１、４３、４４及び４５は、溝状凹部４６、４７、４８、４９、５０、５１、５２、５３、５４、５５、５６、５７、５８、５９、６０、６１、６２、６３、６４及び６５によって区切られている。また、第１の側端部を含む区画領域２５と、第２の側端部を含む区画領域４５とは、動物用患部保護カラー１０を患者動物に装着しているときに、患者動物がこれらの間に前脚を差し込んでスナップボタン２２がはずれることを防止するために、スナップボタン２２よりも第１の側端部及び側端部寄りの部分を区画領域２６等よりもやや幅広になるように形成されている。
【００２０】
図５は、本考案の実施の形態に係る動物用患部保護カラーにおいて変形した状態を示し、（ａ）は正面図、（ｂ）は底面図である。図３において用いた符号は、すべて図１及び図４と同じものを示す。また、図６は、本考案の実施の形態に係る動物用患部保護カラーの使用状態図である。図６において、６８は患者動物、６９は頸部であり、その他の符号は図１と同じものを示す。
【００２１】
また、シート部材１１の区画領域２５、２６、２７、２８、２９、３０、３１、３２、３３、３４、３５、３６、４０、４１、４３、４４及び４５は、従来技術に係ると同様の動物用患部保護カラーと同様の剛性を持っている。また、溝状凹部４６、４７、４８、４９、５０、５１、５２、５３、５４、５５、５６、５７、５８、５９、６０、６１、６２、６３、６４及び６５を形成したことによって、動物用患部保護カラー１０を患者動物に装着しているときに、図５に示すように、シート部材１１が楕円錐台状に変形しやすくなっている。これと同時に、溝状凹部４６、４７、４８、４９、５０、５１、５２、５３、５４、５５、５６、５７、５８、５９、６０、６１、６２、６３、６４又は６５と交差する方向には折れ曲がりにくくなっている。なお、動物用患部保護カラー１０は、図５に示した状態よりもさらに変形させることが可能であり、例えば、人間の手で強く押すことによって楕円錐台が潰れたような状態に変形できるが、外力を加えることを止めれば元の形状に復元する。
【００２２】
上述したように、図６に示すように、動物用患部保護カラー１０を患者動物６８の頸部６９に装着しているときに、図５に示したようにシート部材１１を楕円錐台状に変形しやすくすることは、頸部６９に対して内周側縁辺部２１が強く押し当てられる状態を低減する効果がある。ところで、例えば、溝状凹部をより深く形成して、第１の面において溝状凹部を谷折りと山折りとのいずれにも折り曲げられるようにする、例えば、扇子のように山谷交互に折り曲げるような構成にしても、内周側縁辺部２１が楕円形に変形しやすくなるという効果は得られる。しかし、シート部材１１を丸めて円錐台状にしたときに、第１の面に溝状凹部が山折りになっているものがあると、患者動物の頭部に面する側に稜線のような突出部ができることになる。特に、この稜線の内周側縁辺部となる部位は、とげのように突出した状態になる。すなわち、図１に示した内周側縁辺部２１は、動物用患部保護カラー１０を丸めて円錐台状にすると、図４に示すように、略円形の開口部６７を形成する。開口部６７は、図５のように変形しても、第１の面側に突出部はできない。しかし、溝状凹部を谷折りと山折りとのいずれにも折り曲げられるようにすると、第１の面側に突出部ができ、この突出部が患者動物６８の頸部６９やその周辺を刺激することになり、ストレスの原因となる。
【００２３】
図１及び図２に戻って、シート部材１１に設けたスナップボタン２２は、凸部品（ゲンコ）２３が第１の側端部の近傍部分である区画領域２５、２６及び２７にそれぞれ２個ずつ設けられ、凹部品（バネ）２４が第２の側端部の近傍部分である区画領域４３、４４及び４５にそれぞれ２個ずつ設けられている。凸部品（ゲンコ）２３と凹部品（バネ）とは、患者動物６８の頸部６９に応じて互いに接続するものを適宜選択することによって、図４に示す開口部６７の大きさを調節することが可能である。また、凸部品（ゲンコ）２３と凹部品（バネ）とは、互いに接続したときに、溝状凹部４６、４７又は４８と、溝状凹部６３、６４又は６５が互いに重なり合うように配置されている。これは、凸部品（ゲンコ）２３と凹部品（バネ）とを設けた第１の側端部の近傍部分と第２の側端部の近傍部分とが重なり合うと、溝状凹部の折り曲がるという機能が妨げられないことによる。すなわち、区画領域２５、２６又は２７と溝状凹部６３、６４又は６５と、区画領域４３、４４又は４５と溝状凹部４６、４７又は４８とが重なり合う、つまり、溝状凹部が形成された部位に対して溝状部位が形成されていない部位が重なり合うと、折り曲がらないものと折り曲がるものが重なり合うので、当該部位及びその周辺領域が折れ曲がりにくくなる。溝状凹部同士が重なり合っていれば、このようなことは起こらない。
【００２４】
以上に説明した本考案の実施の形態に係る動物用患部保護カラー１０の効果をまとめると、まず、シート部材１１を丸めて円錐台状にしたときに内側面となる第１の面にのみ溝状凹部４６、４７、４８、４９、５０、５１、５２、５３、５４、５５、５６、５７、５８、５９、６０、６１、６２、６３、６４及び６５を形成しているので、シート部材１１がこれらの溝状凹部を折り目として、つまり、第１の面に対して常に谷型の折り目となるように形成されている。したがって、患者動物が頭部の重さが相対的に軽い猫や小型犬等であっても、製造コストを増大させずに、内周側縁辺部２１に囲まれた開口部６７が簡単に変形するようになる。その一方、第１の面のこれらの溝状凹部が放射状に形成されているので、これらの溝状凹部と交差する方向には折れ曲がりにくい。さらに、これらの溝状凹部は、第１の面に対して突出する山型の折り目となるように折れ曲がることがない、つまり、シート部材１１に対して人間の手によって強い力を加えるようなことをしない限り、患者動物６８の頸部６９や頭部に面する側に稜線のような突出部ができることがない。したがって、患者動物６８の頸部６９などがこの突出部によって刺激を受け、ストレスを感じることがない。
【００２５】
また、スナップボタン２２によって、区画領域２５、２６又は２７と、区画領域４３、４４又は４５とを接続したときに、第１の側端部に近い溝状凹部４６、４７又は４８と、第２の側端部に近い溝状凹部６３、６４又は６５に形成された溝状凹部とが互いに重なり合うので、第１の側端部に近い部位に形成された溝状凹部４６、４７及び４８と、第２の側端部に近い部位に形成された溝状凹部６３、６４及び６５との折り曲がるという機能が損なわれない。すなわち、溝状凹部が形成された部位に対して溝状部位が形成されていない部位が重なり合うことによって、当該部位及びその周辺領域が折れ曲がりにくくなることを防止できる。この効果は、いずれも従来技術に係るアニマルネッカーにないものである。
【００２６】
なお、本考案は、以上に説明した各実施の形態の説明内容に限定されるものではなく、例えば接続手段として、スナップボタンの凸部品（ゲンコ）と凹部品（バネ）とに代えて、面ファスナのフック部とループ部を同じ部位に設けるなど、各請求項に記載した範囲を逸脱しない限りにおいて種々の変形を加えることが可能である。
【符号の説明】
【００２７】
１０  動物用患部保護カラー
１１  シート部材
２０  外周側縁辺部
２１  内周側縁辺部
２２  スナップボタン
２３  凸部品（ゲンコ）
２４  凹部品（バネ）
２５  区画領域
２６  区画領域
２７  区画領域
２８  区画領域
２９  区画領域
３０  区画領域
３１  区画領域
３２  区画領域
３３  区画領域
３４  区画領域
３５  区画領域
３６  区画領域
３７  区画領域
３８  区画領域
３９  区画領域
４０  区画領域
４１  区画領域
４３  区画領域
４４  区画領域
４５  区画領域
４６  溝状凹部
４７  溝状凹部
４８  溝状凹部
４９  溝状凹部
５０  溝状凹部
５１  溝状凹部
５２  溝状凹部
５３  溝状凹部
５４  溝状凹部
５５  溝状凹部
５６  溝状凹部
５７  溝状凹部
５８  溝状凹部
５９  溝状凹部
６０  溝状凹部
６１  溝状凹部
６２  溝状凹部
６３  溝状凹部
６４  溝状凹部
６５  溝状凹部
６６  間隙
６７  開口部
６８  患者動物
６９  頸部
９０  動物用患部保護カラー
９１  内周側縁辺部
９２  外周側縁辺部
９３  通気口
９４  スナップボタン
９５  患者動物
９６  頭部
【図１】
0003233445.tif 000003
【図２】
0003233445.tif 000004
【図３】
0003233445.tif 000005
【図４】
0003233445.tif 000006
【図５】
0003233445.tif 000007
【図６】
0003233445.tif 000008
【図７】
0003233445.tif 000009